(57)【要約】【課題】多様な形態の薄型テレビにおいても、その周囲からの埃などを確実に遮断することができるとともに、インテリアとしてのデザイン性を付与することができる汎用性に優れた薄型テレビ用カバーを提供する。【解決手段】薄型テレビに装着される袋状布地体１１からなる薄型テレビ用カバー１０であって、前記袋状布地体１１におけるテレビ表示面側になる前面の開口端がその後面側の開口端より下方に長く設定されている。また、前記袋状布地体１１は、無地や、その前面に図柄やキャラクタなどの模様がデザインされた布地製であって、前記袋状布地体１１の上方の閉塞部に取手１２，１３を設けたこと特徴とする。さらに、前記袋状布地体１１はその外面にリモコンなどを収納するリモコン入れ１４が設けられていることを特徴とする。【選択図】図３
0003165604.tif 000002
【実用新案登録請求の範囲】
【請求項１】
薄型テレビに装着される袋状布地体からなる薄型テレビ用カバーであって、前記袋状布地体におけるテレビ表示面側になる前面の開口端がその後面側の開口端より下方に長く設定されていることを特徴とする薄型テレビ用カバー。
【請求項２】
前記袋状布地体は、無地又は図柄やキャラクタなどの模様がデザインされた布地製であって、前記袋状布地体の上部閉塞部に取手を設けたこと特徴とする請求項１記載の薄型テレビ用カバー。
【請求項３】
前記袋状布地体は、その外面にリモコンなどを収納するリモコン入れが設けられていることを特徴とする請求項１又は２記載の薄型テレビ用カバー。
【考案の詳細な説明】
【技術分野】
【０００１】
本考案は液晶テレビやパソコン用モニタなどの薄型表示装置に装着される薄型テレビ用カバーに関するものである。
【背景技術】
【０００２】
近年、液晶テレビやパソコン用モニタ、機器操作パネルなどのような薄型タイプの表示装置が市販されている。多くの場合これらの表示装置は、その大きさに対応するテレビ据置台などに配置され、インテリアの一部としての機能も期待されている。これら表示装置の表示面を埃やタバコの煙などから保護するためシートなどが装着される。また、自動車のダッシュボード上などには、エアコンの動作状態等を表示するための液晶表示装置や液晶テレビが設けられており、その表示面には機械的な衝撃などから保護するためのプラスチック製の保護カバーが設けられているものもある（特許文献１参照）。
さらに、車内などに設置される液晶テレビでは、外部光源からの光を遮って液晶面の視認性を高めるために液晶テレビの表示部側の外周部にフードを取り付けたものがある（特許文献２参照）。
【先行技術文献】
【特許文献】
【０００３】
【特許文献１】特開２００１−１３４１９６号公報
【特許文献２】特開平６−３３９０９２号公報
【考案の概要】
【考案が解決しようとする課題】
【０００４】
しかしながら、従来のシート状などの保護カバーを用いるものでは、高齢者や幼児などが取り付ける際には確実な装着がしにくい。このため、カバーとテレビとの隙間から埃が侵入したり、カバーの取り付け位置が偏ってしまい見栄えが悪くなったりすることがあった。また、液晶テレビを視聴していない時に遊んでいる子供達がカバーをずらしてしまうおそれもあり、また、インテリアとしてのデザイン性の維持が難しいという問題もあった。
【０００５】
さらに特許文献１のプラスチック製カバーを用いるものや、特許文献２のように液晶テレビの表示外周部にフードを取り付けたものでは、テレビ背面側が開放されているため、ここから室外や室内に浮遊する埃や煙などがテレビ本体内に入るのを阻止することができない。また、適用する液晶テレビなどの寸法サイズや形態によってカバーの取り付け形式や大きさが異なるため、汎用性に欠けるという欠点があった。
【０００６】
本考案は前記従来の課題を解決するためになされたもので、多様な形態の薄型テレビにおいても、その周囲からの埃などを確実に遮断することができるとともに、インテリアとしてのデザイン性や、遮光性、フィルター機能なども付与することができる汎用性に優れた薄型テレビ用カバーを提供することを目的とする。
【課題を解決するための手段】
【０００７】
（１）前記従来の課題を解決するためになされた本考案は、薄型テレビに装着される袋状布地体からなる薄型テレビ用カバーであって、前記袋状布地体におけるテレビ表示面側になる前面の開口端がその後面側の開口端より下方に長く設定されていることを特徴とする。
【０００８】
（２）本考案は前記（１）の薄型テレビ用カバーにおいて、前記袋状布地体は、無地又は図柄やキャラクタなどの模様がデザインされた布地製であって、前記袋状布地体の上部閉塞部に取手を設けることも可能である。
【０００９】
（３）本考案は前記（１）又は（２）の薄型テレビ用カバーにおいて、前記袋状布地体には、その外面にリモコンなどを収納するリモコン入れを設けることもできる。
【考案の効果】
【００１０】
本考案によれば、薄型テレビに装着される袋状布地体におけるテレビ表示面側になる前面の開口端がその後面側の開口端より長く設定されているので、多種、多様な形態の薄型テレビにおいて、そのテレビ表示面を埃などから手軽かつ確実に保護することができる。すなわち、薄型テレビ用カバーを用いることによって、直射日光や、熱、湿気、埃、傷などから薄型テレビを保護できる。こうして、テレビのパネル画面を美しく保ちつつ、手入れも容易であり、薄型テレビの置かれたリビングを好みのインテリア風にデザインできる。
【図面の簡単な説明】
【００１１】
【図１】実施例１に係る薄型テレビ用カバーの側面図及び正面図である。
【図２】薄型テレビ用カバーに、取手やリモコン入れを他の位置に設けた例を示す正面図である。
【図３】実施例１に係る薄型テレビ用カバーが装着される薄型テレビの説明図である。
【図４】実施例２に係る薄型テレビ用カバーの説明図である。
【考案を実施するための形態】
【００１２】
前記従来の課題を解決するためになされた本考案の薄型テレビ用カバーは、薄型テレビに装着される袋状布地体からなる薄型テレビ用カバーであって、前記袋状布地体におけるテレビ表示面側になる前面の開口端がその後面側の開口端より長く設定されている。これによって、多様な形態の薄型テレビにおいても、その周囲からの埃などを手軽に遮断して保護することができるとともに、インテリアとしてのデザイン性や、遮光性、フィルター機能などを付与することができる汎用性に優れた薄型テレビ用カバーを提供することができる。
【００１３】
薄型テレビとしては、液晶、プラズマ、３Ｄ、ＬＥＤ、有機ＥＬ方式などの各種表示パネルを備えた薄型のテレビ受像装置やディスプレイ装置が含まれ、その背面側にはテレビアンテナや電源に接続されるケーブル端子類が配置されている。薄型テレビは一般にディスプレイ下部に設けられた脚部を介して基台に取り付けられてテレビセット用のテーブル上などに配置されるようになっている。
【００１４】
袋状布地体は、例えば、綿、ポリエステル、ナイロンなどの布地材や、プラスチック製の軟質シート材あるいはこれらの複合体からなり、全体が略矩形の素材の三辺側を袋状に縫製あるいは接着して形成される。なお、袋状布地体の素材として伸縮性のポリエステル繊維や合成ゴムシートなどを用いることで、サイズに違いのある多数の薄型テレビにも薄型テレビ用カバーを適用させることができる。この袋状布地体のテレビ表示面側となる開口端は、その後面側の開口端より約１〜１０ｃｍの範囲内で、下方に長く設定している。したがって後面側の開口端は短く設定されているので、後面側からテレビとの接続ケーブルを容易に引き出せるようにしている。
【００１５】
なお、袋状布地体にキャラクタや花柄などの図柄をプリントして、この薄型テレビにインテリアとしてのデザイン性を付与することができる。また、袋状布地体全体を透明にしてテレビ画面を見えるようにすることもできる。こうして、部屋のデザインや雰囲気などに合わせて薄型テレビ用カバーをインテリア感覚で交換することができるとともに、テレビ全体をいつまでも美しい状態で保つことができる。
【００１６】
さらに本考案の薄型テレビ用カバーは、前記袋状布地体は、無地のものや、図柄やキャラクタなどの模様がデザインされた布地製であって、前記袋状布地体の閉塞部に左右一対の取手、または中央部に取手を設けることもできる。
これによって、テーブル上に載置されたテレビから薄型テレビ用カバーを着脱する際に、この取手を用いて薄型テレビ用カバーを誰でも容易に扱うことができる。すなわち、薄型テレビへのカバーの着脱を高齢者や幼児などでもワンタッチで容易に行うことができる。また、取手の部分をアニメキャラクタの耳などのデザインの一部としても利用できる。
【００１７】
本考案の薄型テレビ用カバーは、前記袋状布地体の外面（前面、側面、後面のいずれにも）にリモコンなどを収納するリモコン入れを設けることもできる。これによって、インテリアとしてのデザイン性が付与されるとともに、リモコン入れにリモコンなどを収納させることで薄型テレビ用カバーにおける利便性をさらに高めることができる。
【実施例１】
【００１８】
以下、本考案の実施例１に係る薄型テレビ用カバーについて図面を参照してさらに具体的に説明する。図１は実施例の薄型テレビ用カバーの正面図及び側面図であり、図２は、薄型テレビ用カバーに、取手やリモコン入れを他の位置に設けた例を示す正面図である。図３は本考案の実施例１の薄型テレビ用カバーが装着される薄型テレビの説明図である。
【００１９】
図示するように実施例１の薄型テレビ用カバー１０は、タオル地などで三方が縫製又は接合されて閉塞部を形成し、閉塞部以外（非閉塞部）が開放され略矩形状の袋状布地体１１からなり、非閉塞部のテレビ表示面側開口端が、後面側の開口端より約３ｃｍ程下方に長く設定されている。
すなわち、後面側の開口端が短く設定されていることにより、薄型テレビＴの背面側からケーブル類が引き出し易いようになっている。
また、略矩形状の袋状布地体１１の上方の閉塞部（図では上側）に左右一対の取手１２、１３が設けられている。さらに、その前面側中央にはリモコン等を収納するためのリモコン入れ１４が配置されている。リモコン入れ１４は薄型テレビ用カバー１０の中央に設けられているので、リモコンを挿入してもバランスがよく、左右いずれかに傾くのを防止できる。
なお、図２に示すように、薄型テレビ用カバー１０には、取手１３やリモコン入れ１４を他の位置（側面や後面）に配置することもできる。
【００２０】
袋状布地体１１はその前面にアニメなどの図柄やキャラクタがデザインされたタオル地や軟質のプラスチックシート材などで形成されており、図３に示す薄型テレビＴのテレビ本体部分にその上からすっぽりと装着できるように略矩形袋状となるようにそのサイズと形状が設定されている。
なお、袋状布地体１１の素材として必要に応じて、放熱性や通気性に優れた布材を適用したり、多数の通気孔を布地に設けたりすることもでき、これによって、薄型テレビＴの電源オフ後に熱が篭ることなく、薄型テレビ用カバー１０から放散されるようにしてもよい。
【実施例２】
【００２１】
以下、本考案の実施例２に係る薄型テレビ用カバーについて図面を参照して説明する。図４は実施例２に係る薄型テレビ用カバーの説明図である。
図示するように実施例２の薄型テレビ用カバー２０は、ポリエステル繊維などにより縫製又は接合、折り返されて全体が略矩形状に形成された袋状布地体２１からなり、薄型テレビＴが装着されるその表示面側に矩形板状の透明部２２が窓状に配置されるようになっている。
また、薄型テレビ用カバー２０のテレビ表示面側になる前面開口端が後面側の開口端より約５ｃｍ程長く設定されているとともに、袋状布地体２１の閉塞部（図の上部側）に左右一対の取手２３が設けられ、これによってカバー取り付けの際のハンドリング性を高めている。
【００２２】
透明部２２は、例えば、アクリル樹脂やポリカーボネート樹脂などの硬質透明樹脂材や、ビニールなどの軟質透明樹脂材などからなる。このような透明部２２は薄型テレビＴの液晶表示面などに対応して窓状に開口した袋状布地体２１に取り付けられ、インテリアとしてのデザイン性の付与に加えて、テレビ視聴中における保護カバーや、防眩フィルターなどとして機能させることができる。この場合、薄型テレビ用カバーには、熱を逃がすための通気孔を設けておくことが好ましい。
こうして、薄型テレビ用カバー２０はテレビ本体に被せて装着できるので薄型テレビの液晶画面に安全に装着することができるとともに、メーカーによって異なる多くのタイプの薄型テレビに共通して利用できる汎用性にも優れている。
【産業上の利用可能性】
【００２３】
本考案によれば、薄型テレビに装着される袋状布地体におけるテレビ表示面側になる前面の開口端がその後面側の開口端より長く設定されているので、多種、多様な形態の薄型テレビにおいて、そのテレビ表示面を埃などから手軽かつ確実に保護することができる。
【符号の説明】
【００２４】
１０    実施例１の薄型テレビ用カバー
１１    袋状布地体
１２、１３    取手
１４    リモコン入れ
２０    実施例２の薄型テレビ用カバー
２１    袋状布地体
２２    透明部
２３    取手
【図１】
0003165604.tif 000003
【図２】
0003165604.tif 000004
【図３】
0003165604.tif 000005
【図４】
0003165604.tif 000006